(57)【特許請求の範囲】
【請求項１】
電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、
前記機器制御装置がイベント発生検出手段を有し、前記機器制御装置の記憶装置に前記設備機器及び前記機器制御装置の少なくとも一のイベント発生時の寿命診断を行う寿命診断プログラムが格納されており、
前記設備機器及び前記機器制御装置の少なくとも一のイベント発生時の寿命診断が、少なくとも次の１〜４の手順で行われる
電力系統の寿命診断方法。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【請求項２】
電力系統を構成する設備機器が設置された各電気所に設置され前記設備機器と共に前記電力系統を構成し前記設備機器を制御する機器制御装置、及びこれら機器制御装置の外部に設けられ前記各機器制御装置の内部情報から前記電力系統の状態を通信網を介して監視する監視装置を備えた電力系統において、
前記各機器制御装置がイベント発生検出手段を有し、前記各機器制御装置の記憶装置に前記設備機器及び前記機器制御装置の少なくとも一のイベント発生時の寿命診断を行う寿命診断プログラムが格納されており、
前記各設備機器及び前記各機器制御装置の少なくとも一のイベント発生時の各寿命診断プログラムの寿命診断が、少なくとも次の１〜４の手順で行われる
電力系統の寿命診断方法。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【請求項３】
請求項１及び請求項２の何れかに記載の電力系統の寿命診断方法において、前記表示装置が、前記電力供給側拠点及び前記製品供給側拠点の少なくとも一方における電子端末の表示装置である電力系統の寿命診断方法。
【請求項４】
請求項１及び請求項２の何れかに記載の電力系統の寿命診断方法において、前記診断プログラムが、前記電力供給側拠点、及び前記製品供給側拠点の少なくとも一にも格納され、当該診断プログラムが格納された拠点が得た寿命診断に必要な状態情報から当該拠点の診断プログラムが寿命診断を行う電力系統の寿命診断方法。
【請求項５】
請求項１〜請求項４の何れか一に記載の電力系統の寿命診断方法において、前記寿命診断結果が余寿命が比較的短く注意を要する場合は、事故や異常時とは異なる報知を行うことを特徴とする電力系統の寿命診断方法。
【請求項６】
電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われる電力系統の寿命診断方法。
１．前記機器制御装置が有する各種状態情報のうち、寿命診断に必要な状態情報を電力供給側拠点が得る。
２．この得た状態情報により前記電力供給側拠点における寿命診断プログラムが診断する。
３．この診断結果を、前記機器制御装置、前記電力供給側拠点、及び製品供給側拠点の少なくとも一における表示装置で表示する。
【請求項７】
電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われる電力系統の寿命診断方法。
１．前記機器制御装置が有する各種状態情報のうち、寿命診断に必要な状態情報を製品供給側拠点が得る。
２．この得た状態情報により前記製品供給側拠点における寿命診断プログラムが診断する。
３．この診断結果を、前記機器制御装置、電力供給側拠点、及び前記製品供給側拠点の少なくとも一における表示装置で表示する。
【請求項８】
電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われる電力系統の寿命診断方法。
１．前記機器制御装置が有する各種状態情報のうち、寿命診断に必要な状態情報を電力供給側拠点及び製品供給側拠点が得る。
２．この得た状態情報により前記電力供給側拠点及び前記製品供給側拠点における各寿命診断プログラムが診断する。
３．これら診断の結果を、前記機器制御装置、前記電力供給側拠点、及び前記製品供給側拠点の少なくとも一における表示装置で表示する。
【請求項９】
請求項１〜請求項８の何れか一に記載の電力系統の寿命診断方法において、前記寿命診断結果のトレンドを前記表示装置に表示する電力系統の寿命診断方法。
【請求項１０】
請求項１〜請求項９の何れか一に記載の電力系統の寿命診断方法において、前記寿命診断結果が少なくとも要注意レベルの場合は、その旨を、前記機器制御装置、前記電力供給側拠点、及び前記製品供給側拠点の少なくとも一へ報知する電力系統の寿命診断方法。
【請求項１１】
電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、
前記機器制御装置がイベント発生検出手段を有し、前記機器制御装置の記憶装置に前記設備機器及び前記機器制御装置の少なくとも一のイベント発生時の寿命診断を行う寿命診断プログラムが格納されており、
前記設備機器及び前記機器制御装置の少なくとも一のイベント発生時の寿命診断が、少なくとも次の１〜４の手順で行われる
電力系統の寿命診断システム。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【請求項１２】
電力系統を構成する設備機器が設置された各電気所に設置され前記設備機器と共に前記電力系統を構成し前記設備機器を制御する機器制御装置、及びこれら機器制御装置の外部に設けられ前記各機器制御装置の内部情報から前記電力系統の状態を通信網を介して監視する監視装置を備えた電力系統において、
前記各機器制御装置がイベント発生検出手段を有し、前記各機器制御装置の記憶装置に前記各設備機器及び前記各機器制御装置の少なくとも一のイベント発生時の寿命診断を行う寿命診断プログラムが格納されており、
前記各設備機器及び前記各機器制御装置の少なくとも一のイベント発生時の各寿命診断プログラムの寿命診断が、少なくとも次の１〜４の手順で行われる
電力系統の寿命診断システム。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【請求項１３】
請求項１１及び請求項１２の何れかに記載の電力系統の寿命診断システムにおいて、前記寿命診断結果が余寿命が比較的短く注意を要する場合は、事故や異常時とは異なる報知を行うことを特徴とする電力系統の寿命診断システム。
【請求項１４】
電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われる電力系統の寿命診断システム。
１．前記機器制御装置が有する各種状態情報のうち、寿命診断に必要な状態情報を前記電力供給側拠点が得る。
２．この得た状態情報により前記電力供給側拠点における寿命診断プログラムが診断する。
３．この診断結果を、前記機器制御装置、前記電力供給側拠点、及び前記製品供給側拠点の少なくとも一における表示装置で表示する。
【請求項１５】
電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われる電力系統の寿命診断システム。
１．前記機器制御装置が有する各種状態情報のうち、寿命診断に必要な状態情報を前記製品供給側拠点が得る。
２．この得た状態情報により前記製品供給側拠点における寿命診断プログラムが診断する。
３．この診断結果を、前記機器制御装置、前記電力供給側拠点、及び前記製品供給側拠点の少なくとも一における表示装置で表示する。
【請求項１６】
電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われる電力系統の寿命診断システム。
１．前記機器制御装置が有する各種状態情報のうち、寿命診断に必要な状態情報を前記電力供給側拠点及び前記製品供給側拠点が得る。
２．この得た状態情報により前記電力供給側拠点及び前記製品供給側拠点における各寿命診断プログラムが診断する。
３．これら診断の結果を、前記機器制御装置、前記電力供給側拠点、及び前記製品供給側拠点の少なくとも一における表示装置で表示する。
【請求項１７】
請求項１１〜請求項１６の何れか一に記載の電力系統の寿命診断システムにおいて、前記寿命診断結果のトレンドを前記表示装置に表示する電力系統の寿命診断システム。
【請求項１８】
請求項１１〜請求項１７の何れか一に記載の電力系統の寿命診断システムにおいて、前記寿命診断結果が少なくとも要注意レベルの場合は、その旨を、前記機器制御装置、前記電力供給側拠点、及び前記製品供給側拠点の少なくとも一へ報知する電力系統の寿命診断システム。
【発明の詳細な説明】
【０００１】
【発明の属する技術分野】
この発明は、電力系統を構成する設備機器の側に設置され前記設備機器を制御する機器制御装置、及びこの機器制御装置の外部に設けられ通信網を介して前記機器制御装置の内部情報を取得し当該内部情報から前記電力系統の状態を監視する監視制御装置を備えた電力系統において、前記機器制御装置、設備機器、等の寿命診断、つまり電力系統の寿命診断を行う方法及びシステムに関するものである。
【０００２】
【従来の技術】
従来では、電力系統の寿命診断は、保守員が、リレ−盤等の機器制御装置やしゃ断器、変圧器、発電機等の設備機器の設置場所まで行って、該機器制御装置や設備機器を直接点検することによって行われ、その時期は、通常は数年に一度、送電を停止して定期的に行われる。
【０００３】
また、近年では例えば本出願人が平成１２年３月１５日に出願した特願平１２−１９９２６２号明細書に記載のように、電力系統の設備機器や機器制御装置等の、保守監視、寿命診断、機能設定／変更等を、通信網を利用して遠隔地の電子端末によって、電子的に行う方向の技術開発が行われ始めている。
【０００４】
図１２は特願平１２−１９９２６２号明細書の概念図で、同図において、１Ａ，１Ｂ，・・・１Ｎは変電所等の電気所で、所内には変圧器，しゃ断器，他の設備機器（何れも図示省略）が設置されている。１Ａ１，１Ｂ１，・・・１Ｎ１はリレ−盤等の機器制御装置で、前記変圧器を保護したり、前記しゃ断器をトリップしたり、或いは系統の効率的運営の為に母線を切り替えたりする等の各種の制御制御装置がある。２は電力会社、小口売電会社等の電力供給側拠点で、系統設備計画、系統制御、系統保守等に使用されるパ−ソナルコンピュ−タ（一般略称ＰＣ）等の電子端末２１，２２，２３が設置されている。
【０００５】
３は前記設備機器や機器制御装置等の製品を製造或いは販売する製品供給側拠点で、製品開発（設計）、製品試験、製品の部品管理等に使用されるパ−ソナルコンピュ−タ（一般略称ＰＣ）等の電子端末３１，３２，３３が設置されている。４はインタ−ネット網、エクストラネット網、イントラネット網、ＬＡＮ、専用回線、保守回線、或いはこれらの組み合わせ等の通信網で、前記電気所１Ａ，１Ｂ，・・・１Ｎと前記電力供給側拠点２と前記製品供給側拠点３との間で電力系統の状態等の情報授受、系統管理や前記機器制御装置１Ａ１，１Ｂ１，・・・・１Ｎ１等の機能設定／変更／制御などの信号等の情報授受、等を前記各電子端末２１，２２，２３，３１，３２，３３で行う場合に使用される。
【０００６】
この図１２で概念が示される前記特願平１２−１９９２６２号明細書には電力系統を構成する設備機器や、該設備機器を保護したり制御したりする前記機器制御装置１Ａ１，１Ｂ１，・・・１Ｎ１などに、前記電力供給側の電子端末２１，２２，２３や前記製品供給側の電子端末３１，３２，３３から、前記通信網４を介してアクセスし、前記リレ−盤等の機器制御装置１Ａ１，１Ｂ１，・・１Ｎ１等を電子的に寿命診断する大略概念が示されている。
【０００７】
【発明が解決しようとする課題】
前述の従来の人的点検については、先ず、電力系統には多数のリレ−盤等の機器制御装置があり、又、全ての機器制御装置に保守員を常時張り付かせて常時点検体制を採っているのではない為、電力系統の事故や異常時の設備機器や機器制御装置の動作或いはこれら設備機器や機器制御装置の構成要素の一部要素の動作の時、所謂イベント発生時には保守員は作業中の他の業務を止めて先ず該イベント発生の機器制御装置の点検に走らなければならない。イベントが緊急性の高い重大イベントの場合にはイベント発生原因や発生個所、症状等の把握が遅れたりすることもあり得る。
【０００８】
また、前述の特願平１２−１９９２６２号明細書には、該明細書の極一部に、前記機器制御装置２Ａ，２Ｂ，・・・２Ｎ等に、前記電力供給側の電子端末３１，３２，３３や前記製品供給側の電子端末４１，４２，４３から、前記通信網５を介してアクセスし、前記リレ−盤等の機器制御装置２Ａ，２Ｂ，・・・２Ｎ等を電子的に寿命診断する大略概念が示されているが、具体的な寿命診断方策は提示されてない。
【０００９】
この発明は前述のような現状に鑑みてなされたものであり、電気所における設備機器や機器制御装置等で構成される電力系統におけるイベント発生原因や発生個所、症状等、を、電気所の設備機器や機器制御装置以外の場所や電子機器、例えば電力供給側拠点や製品供給側拠点においてＰＣやサ−バ等の電子端末から、いち早く把握し早期に寿命診断できる具体的な診断方法及び診断システムを提供することを目的としている。
【００１０】
【課題を解決するための手段】
請求項１に記載の発明に係る電力系統の寿命診断方法は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記機器制御装置がイベント発生検出手段を有し、前記機器制御装置の記憶装置に前記設備機器及び前記機器制御装置の少なくとも一のイベント発生時の寿命診断を行う寿命診断プログラムが格納されており、前記設備機器及び前記機器制御装置の少なくとも一のイベント発生時の寿命診断が、少なくとも次の１〜４の手順で行われる電力系統の寿命診断方法である。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【００１１】
請求項２に記載の発明に係る電力系統の寿命診断方法は、電力系統を構成する設備機器が設置された各電気所に設置され前記設備機器と共に前記電力系統を構成し前記設備機器を制御する機器制御装置、及びこれら機器制御装置の外部に設けられ前記各機器制御装置の内部情報から前記電力系統の状態を通信網を介して監視する監視装置を備えた電力系統において、前記各機器制御装置がイベント発生検出手段を有し、前記各機器制御装置の記憶装置に前記設備機器及び前記機器制御装置の少なくとも一のイベント発生時の寿命診断を行う寿命診断プログラムが格納されており、前記各設備機器及び前記各機器制御装置の少なくとも一のイベント発生時の各寿命診断プログラムの寿命診断が、少なくとも次の１〜４の手順で行われる電力系統の寿命診断方法である。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【００１２】
請求項３に記載の発明に係る電力系統の寿命診断方法は、請求項１及び請求項２の何れかに記載の電力系統の寿命診断方法において、前記表示装置が、前記電力供給側拠点及び前記製品供給側拠点の少なくとも一方における電子端末の表示装置である電力系統の寿命診断方法である。
【００１３】
請求項４に記載の発明に係る電力系統の寿命診断方法は、請求項１及び請求項２の何れかに記載の電力系統の寿命診断方法において、前記診断プログラムが、前記電力供給側拠点、及び前記製品供給側拠点の少なくとも一にも格納され、当該診断プログラムが格納された拠点が得た寿命診断に必要な状態情報から当該拠点の診断プログラムが寿命診断を行う電力系統の寿命診断方法である。
【００１４】
請求項５に記載の発明に係る電力系統の寿命診断方法は、請求項１〜請求項４の何れか一に記載の電力系統の寿命診断方法において、前記寿命診断結果が余寿命が比較的短く注意を要する場合は、事故や異常時とは異なる報知を行うことを特徴とする電力系統の寿命診断方法である。
【００１５】
請求項６に記載の発明に係る電力系統の寿命診断方法は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われる電力系統の寿命診断方法である。
１．前記機器制御装置が有する各種状態情報のうち、寿命診断に必要な状態情報を電力供給側拠点が得る。
２．この得た状態情報により前記電力供給側拠点における寿命診断プログラムが診断する。
３．この診断結果を、前記機器制御装置、前記電力供給側拠点、及び製品供給側拠点の少なくとも一における表示装置で表示する。
【００１６】
請求項７に記載の発明に係る電力系統の寿命診断方法は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われる電力系統の寿命診断方法である。
１．前記機器制御装置が有する各種状態情報のうち、寿命診断に必要な状態情報を製品供給側拠点が得る。
２．この得た状態情報により前記製品供給側拠点における寿命診断プログラムが診断する。
３．この診断結果を、前記機器制御装置、電力供給側拠点、及び前記製品供給側拠点の少なくとも一における表示装置で表示する。
【００１７】
請求項８に記載の発明に係る電力系統の寿命診断方法は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われる電力系統の寿命診断方法である。
１．前記機器制御装置が有する各種状態情報のうち、寿命診断に必要な状態情報を電力供給側拠点及び製品供給側拠点が得る。
２．この得た状態情報により前記電力供給側拠点及び前記製品供給側拠点における各寿命診断プログラムが診断する。
３．これら診断の結果を、前記機器制御装置、前記電力供給側拠点、及び前記製品供給側拠点の少なくとも一における表示装置で表示する。
【００１８】
請求項９に記載の発明に係る電力系統の寿命診断方法は、請求項１〜請求項８の何れか一に記載の電力系統の寿命診断方法において、前記寿命診断結果のトレンドを前記表示装置に表示する電力系統の寿命診断方法である。
【００１９】
請求項１０に記載の発明に係る電力系統の寿命診断方法は、請求項１〜請求項９の何れか一に記載の電力系統の寿命診断方法において、前記寿命診断結果が少なくとも要注意レベルの場合は、その旨を、前記機器制御装置、前記電力供給側拠点、及び前記製品供給側拠点の少なくとも一へ報知する電力系統の寿命診断方法である。
【００２０】
請求項１１に記載の発明に係る電力系統の寿命診断システムは、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記機器制御装置がイベント発生検出手段を有し、前記機器制御装置の記憶装置に前記設備機器及び前記機器制御装置の少なくとも一のイベント発生時の寿命診断を行う寿命診断プログラムが格納されており、前記設備機器及び前記機器制御装置の少なくとも一のイベント発生時の寿命診断が、少なくとも次の１〜４の手順で行われる電力系統の寿命診断システムである。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【００２１】
請求項１２に記載の発明に係る電力系統の寿命診断システムは、電力系統を構成する設備機器が設置された各電気所に設置され前記設備機器と共に前記電力系統を構成し前記設備機器を制御する機器制御装置、及びこれら機器制御装置の外部に設けられ前記各機器制御装置の内部情報から前記電力系統の状態を通信網を介して監視する監視装置を備えた電力系統において、前記各機器制御装置がイベント発生検出手段を有し、前記各機器制御装置の記憶装置に前記各設備機器及び前記各機器制御装置の少なくとも一のイベント発生時の寿命診断を行う寿命診断プログラムが格納されており、前記各設備機器及び前記各機器制御装置の少なくとも一のイベント発生時の各寿命診断プログラムの寿命診断が、少なくとも次の１〜４の手順で行われる電力系統の寿命診断システムである。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【００２２】
請求項１３に記載の発明に係る電力系統の寿命診断システムは、請求項１１または請求項１２の何れか一に記載の電力系統の寿命診断システムにおいて、前記寿命診断結果が余寿命が比較的短く注意を要する場合は、事故や異常時とは異なる報知を行うことを特徴とする電力系統の寿命診断システムである。
【００２３】
請求項１４に記載の発明に係る電力系統の寿命診断システムは、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われる電力系統の寿命診断システムである。
１．前記機器制御装置が有する各種状態情報のうち、寿命診断に必要な状態情報を前記電力供給側拠点が得る。
２．この得た状態情報により前記電力供給側拠点における寿命診断プログラムが診断する。
３．この診断結果を、前記機器制御装置、前記電力供給側拠点、及び前記製品供給側拠点の少なくとも一における表示装置で表示する。
【００２４】
請求項１５に記載の発明に係る電力系統の寿命診断システムは、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われる電力系統の寿命診断システムである。
１．前記機器制御装置が有する各種状態情報のうち、寿命診断に必要な状態情報を前記製品供給側拠点が得る。
２．この得た状態情報により前記製品供給側拠点における寿命診断プログラムが診断する。
３．この診断結果を、前記機器制御装置、前記電力供給側拠点、及び前記製品供給側拠点の少なくとも一における表示装置で表示する。
【００２５】
請求項１６に記載の発明に係る電力系統の寿命診断システムは、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われる電力系統の寿命診断システムである。
１．前記機器制御装置が有する各種状態情報のうち、寿命診断に必要な状態情報を前記電力供給側拠点及び前記製品供給側拠点が得る。
２．この得た状態情報により前記電力供給側拠点及び前記製品供給側拠点における各寿命診断プログラムが診断する。
３．これら診断の結果を、前記機器制御装置、前記電力供給側拠点、及び前記製品供給側拠点の少なくとも一における表示装置で表示する。
【００２６】
請求項１７に記載の発明に係る電力系統の寿命診断システムは、請求項１１〜請求項１６の何れか一に記載の電力系統の寿命診断システムにおいて、前記寿命診断結果のトレンドを前記表示装置に表示する電力系統の寿命診断システムである。
【００２７】
請求項１８に記載の発明に係る電力系統の寿命診断システムは、請求項１１〜請求項１７の何れか一に記載の電力系統の寿命診断システムにおいて、前記寿命診断結果が少なくとも要注意レベルの場合は、その旨を、前記機器制御装置、前記電力供給側拠点、及び前記製品供給側拠点の少なくとも一へ報知する電力系統の寿命診断システムである。
【００２８】
【発明の実施の形態】
以下の実施形態は、何れも機器制御装置がリレー盤（保護リレー装置）の場合について例示する。
【００２９】
実施の形態１．
以下、実施の形態１におけるシステム構成の一例を図１によって説明する。図１において、１Ａ，１Ｂ，〜１Ｎは電力系統における電気所或いは変電所で、図示のように、所内には変圧器（図示せず）、保護制御機能を備えたリレー盤（保護リレー装置）からなる機器制御装置１Ａ１，１Ａ２，１Ｂ１，〜１Ｎ１、しゃ断器ＣＢ、計器用変流器ＣＴ、計器用変圧器ＰＴ、ＨＭＩ（ヒュ−マン・マシ−ン・インタ−フェイス）１Ａ２，１Ｂ２，〜１Ｎ２、ル−タ１Ａ３，１Ｂ３，〜１Ｎ３、所内通信回線１Ａ４，１Ｂ４，〜１Ｎ４、制御信号等の同期をとるために使用される標準時刻を得るＧＰＳアンテナやＦＭアンテナ１Ａ５，１Ｂ５，〜１Ｎ５、母線や送電線１Ｂ６，〜１Ｎ６（電気所１Ａについては図示省略）、モバイルＰＣ等の電子端末１Ｂ７、等が設置されている。
【００３０】
前記リレー盤（保護リレー装置）からなる機器制御装置１Ａ１，１Ａ２，１Ｂ１，〜１Ｎ１は、母線や送電線における地絡事故や短絡事故等を検出するとしゃ断器ＣＢをトリップするが、トリップ機能のみでなく、地絡事故や短絡事故等の事故発生時における系統状態情報や、トリップに至らない異常状態の系統状態情報や、正常状態の系統状態情報等を収集して、系統状態の実デ−タ情報として前記機器制御装置１Ａ１，１Ａ２，１Ｂ１，〜１Ｎ１の内部記憶装置（図示省略）に格納する機能や、Ｗｅｂサ−バ（図示省略）の機能も有している。
【００３１】
なお、前記機器制御装置１Ａ１，１Ａ２，１Ｂ１，〜１Ｎ１の内部記憶装置等、前記機器制御装置内のシステム構成や機能は、図１では図示省略してあるが別途図示し説明する。また、前記系統状態情報とは、例えば、母線に設置されている遮断器ＣＢや区分開閉器Ｓの開閉状態を示す情報、母線電圧、母線電流、零相電流、差電流、周波数、高調波、しゃ断電流、しゃ断電圧、しゃ断時逆起電力、外気温、室内温度、機器温度、湿度、雨量、水量、屋外風力（風速）、機器回転数、気圧、設備機器の一部要素である密閉容器内の圧力、ケ−ブルや巻線の絶縁抵抗や誘電率、潮流、変圧器タップチェンジャ−のタップ位置、磁束、磁束密度、磁界や電解の強度、等々、設備機器や機器制御装置自体の状態信号、母線や送電線の各種電気量や磁気量、設備機器や機器制御装置等の環境状況、等々、電力系統に直接的或いは間接的に影響する広範な各種情報を意味する。
【００３２】
２は例えば中央給電所や給電所支店、制御所などの電力供給側拠点で、更に設備計画拠点、制御拠点、保守拠点、等が設けられており、これらの機能を行うため、ル−タ２１，２２、診断サ−バからなる電子端末２３、モバイルＰＣからなる電子端末２４、ＰＣ等の表示装置付の電子端末２５，２６，・・・２ｎ、拠点内通信回線２７４が設置されている。なお、寿命診断機能は、前記電子端末２３，２４，２５，２６，・・・２ｎの少なくとも一が、それらの記憶装置に寿命診断プログラムを搭載されることにより保有することになり、それらのＣＰＵ及び操作員の操作により寿命診断機能が実行される。これら寿命診断を行うシステム構成や寿命診断機能の具体例は、別途図示して後述する。
【００３３】
３は電力系統を構成する設備機器や該設備機器を制御する制御装置などの製品を開発或いは製造或いは販売する製品供給側拠点で、更に製品開発（設計）拠点、製品試験拠点、部品（製品）管理拠点が設けられており、これらの機能を行うため、ル−タ３１，３２、診断サ−バからなる電子端末３３、モバイルＰＣからなる電子端末３４、ＰＣ等の表示装置付の電子端末３５，３６，・・・３ｎ、拠点内通信回線３７４が設置されている。なお、寿命診断機能は、前記電子端末３３，３４，３５，３６，・・・３ｎの少なくとも一が、それらの記憶装置に寿命診断プログラムを搭載されることにより保有することになり、それらのＣＰＵ及び操作員の操作により寿命診断機能が実行される。これら寿命診断を行うシステム構成や寿命診断機能の具体例は、別途図示して後述する。
【００３４】
４は通信網で、インタ−ネットやＷｅｂで利用する公衆通信回線４１，４２、イントラネットやエクストラネットで利用したり保護制御等の特定用途に使用される特定通信回線４３，４４、前記所内通信回線１Ａ４，１Ｂ４，１Ｎ４、前記拠点内通信回線２７４，３７４で構成されている。なお、前記公衆通信回線４１，４２、及び該公衆通信回線４１，４２と接続される前記所内及び拠点内の特定通信回線各特定通信回線１Ａ４，１Ｂ４，１Ｎ４，２７４，３７４は点線で図示してある。又、前記公衆通信回線４１，４２と接続されない前記特定通信回線４３，４４や前記所内及び拠点内の各特定通信回線１Ａ４，１Ｂ４，１Ｎ４，２７４，３７４は実線で図示してある。
【００３５】
また、前記特定通信回線４３，４４は前記公衆通信回線４１，４２に比べ、通信網を介した通信傍受や不正アクセスに対するセキュリティが高いので、前記特定通信回線４３，４４と前記公衆通信回線４１，４２とはそれなりに使い分けしてある。例えば、前記機器制御装置１Ａ１，１Ａ２，１Ｂ１，１Ｎ１に保存されている電力系統状態情報を前記電力供給側拠点２や製品供給側拠点３の電子端末２４，２５，２６，・・・２ｎ，３４，３５，３６・・・３ｎにダウンロ−ドして電力系統の状態を監視する監視装置（システム）では前記点線で図示してある公衆通信回線４１，４２等を利用し、前記機器制御装置１Ａ１，１Ａ２，１Ｂ１，１Ｎ１の機能設定や機能変更など電力系統の運転に影響を与える能動的機能装置（システム）では前記特定通信回線４３，４４等を利用する。
【００３６】
前記監視装置（システム）の場合は、前記公衆通信回線４１，４２等を利用した前記機器制御装置１Ａ１，１Ａ２，１Ｂ１，１Ｎ１へのアクセス機能を実現するために、前記機器制御装置１Ａ１，１Ａ２，１Ｂ１，１Ｎ１にはＷｅｂサ−バ（図示省略）を搭載し、前記監視装置に使用する電子端末電子端末２４，２５，２６，・・・２ｎ，３４，３５，３６・・・３ｎにはＷｅｂブラウザ（図示省略）を搭載してある。
【００３７】
寿命診断については、前記機器制御装置１Ａ１，１Ａ２，１Ｂ１，１Ｎ１に保存されている電力系統状態情報を利用して前記電力供給側拠点２や製品供給側拠点３の電子端末２３，２４，２５，２６，・・・２ｎ，３３，３４，３５，３６・・・３ｎの少なくとも一を使って寿命診断する。寿命診断の場合、回線敷設費用の節減や、使用する電力系統状態情報が系統監視と一部重なる関係で表示装置を系統監視と共用することを考慮すれば、公衆通信回線４１，４２を利用する方が好都合であるが、セキュリティを重視する場合は特定通信回線４３，４４，等を利用する。この寿命診断の具体的システム構成や診断動作形態は以下に具体的に図示説明する。
【００３８】
実施の形態２．
図２は、寿命診断の具体的方法及びシステム構成の実施形態の一例を、機器制御装置がリレ−盤の場合を示し、図３はその動作形態のフロ−図である。以下、図２について、システム構成及び構成要素の機能を順に説明し、その後、システムの動作を図２及び図３によって説明する。
【００３９】
先ず最初にシステム構成を図２によって説明する。説明は、前記電気所１Ａ、電力供給側拠点２、製品供給側拠点３、の順に行う。先ず、前記電気所１Ａの前記機器制御装置１Ａ１について、説明する。先ず、前記電気所１Ａの前記機器制御装置１Ａ１について、１Ａ１は前記Ａ電気所（変電所）１Ａに設置されたリレ−盤からなる機器制御装置で、装置入力側のＩ／Ｏ１Ａ１１、装置出力側のＩ／Ｏ１Ａ１２、表示装置１Ａ１３、ＣＰＵ１Ａ１４、記憶装置１Ａ１５、及びイベント発生検出手段１Ａ１６で構成されている。前記記憶装置１Ａ１５は、揮発性の第１記憶装置１Ａ１５１、不揮発性の第２記憶装置１Ａ１５２、不揮発性の第３記憶装置１Ａ１５３、・・・不揮発性の第ｎ記憶装置１Ａ１５ｎ、不揮発性の第ｎ+1記憶装置１Ａ１５ｎ+1、及び不揮発性の第ｎ+2記憶装置１Ａ１５ｎ+2で構成されている。
【００４０】
次に、電力供給側拠点２について、２５は電力供給側拠点２に設置されたＰＣ等の電子端末で、Ｉ／Ｏ２５１、表示装置２５２、ＣＰＵ２５３、及び記憶装置２５４で構成されている。前記記憶装置２５４は、不揮発性の第１記憶装置２５４１、・・・不揮発性の第ｎ記憶装置２５４ｎ、不揮発性の第ｎ+1記憶装置２５４ｎ+1、不揮発性の第ｎ+2記憶装置２５４ｎ+2で構成されている。
【００４１】
次に、製品提供側拠点３について、３５は製品提供側拠点３に設置されたＰＣ等の電子端末で、Ｉ／Ｏ３５１、表示装置３５２、ＣＰＵ３５３、及び記憶装置３５４で構成されている。前記記憶装置３５４は、不揮発性の第１記憶装置３５４１、不揮発性の第２記憶装置３５４２、・・・不揮発性の第ｎ記憶装置３５４ｎ、不揮発性の第ｎ+1記憶装置３５４ｎ+1で構成されている。４はインタ−ネット、エクストラネット、イントラネット、ＬＡＮ、内部バス等の通信網で、公衆通信回線、特定通信回線、コンピュ−タ内部バスなどの混成通信網である。
【００４２】
次に、各構成要素の機能を説明する。説明は、前記電気所１Ａ、電力供給側拠点２、製品供給側拠点３、の順に行う。先ず、前記電気所１Ａの前記機器制御装置１Ａ１について、前記Ｉ／Ｏ１Ａ１１は前述の実施形態１で説明した事故時、異常時、正常時の各種の系統状態情報を常時入力する。前記揮発性の第１記憶装置１Ａ１５１は、前記Ｉ／Ｏ１Ａ１１に入力された前記各種系統状態情報を一時的に格納する。前記不揮発性の第２記憶装置１Ａ１５２は、前記第１記憶装置１Ａ１５１に格納された前記各種系統状態情報のうち寿命診断に必要な情報が前記第１記憶装置１Ａ１５１からダウンロ−ドされた後、該ダウンロ−ドされた情報を格納する。前記不揮発性の第３記憶装置１Ａ１５３は各種リレ−のリレ−機能を実行するリレ−プログラムを格納している。
【００４３】
前記不揮発性の第ｎ記憶装置１Ａ１５ｎは、パリティチェック、自己診断、他、リレ−装置に必要なその他プログラムを格納している。前記第ｎ+1記憶装置１Ａ１５ｎ+1は、前記リレ−プログラム、後述のイベント発生時に診断する診断プログラム、前記リレ−装置に必要な各種プログラムを、所定の記憶装置の所定領域（指定番地）に搭載するプログラム搭載プログラムを格納している。前記第ｎ+2記憶装置１Ａ１５ｎ+2は、前記第２記憶装置１Ａ１５２に格納されている電力系統状態情報につきイベント発生時に診断する診断プログラムを格納している。イベント発生検出手段１Ａ１６は、イベントの発生を検出し、前記ＣＰＵ１Ａ１４に一連の診断動作を開始させる。なお、このイベント発生検出手段１Ａ１６は、個別に設けずに、前期ＣＰＵ１Ａ１４に該イベント発生検出機能を持たせてもよい。
前記表示装置１Ａ１３は、前記イベント発生の表示や前記寿命診断の結果の表示、などの表示を行う。なお、図示してないが、前記表示装置１Ａ１３とは別に、ランプ、ブザ−、スピ−カ等の報知装置も設けられており、寿命診断結果が余寿命が比較的短く注意を要する場合は、事故や異常時とは異なる報知、例えばランプの場合は、事故や異常時は赤の点滅、余寿命が短いときは黄色の点滅など、を行なうようにしてある。
【００４４】
ここで、イベント発生とは、例えば、地絡や短絡等の系統事故の場合、事故ではないが過電圧、過電流、電圧低下、周波数低下等の異常な状態（正常ではない状態）が発生した場合、リレ−出力が出た場合、リレ−出力は出てないが外部事故等でリレ−の一部要素が動作した場合、変圧器やしゃ断器等の容器が異常な圧力や温度になった場合、発電機や電動機の回転数や巻線温度が異常値になった場合、零相電流が発生した場合、等々、リレ−等の機器制御装置の内部や、機器制御装置の外部、設備機器（変圧器、しゃ断器、他、母線や送電線も含む）の内部や外部における動作、電気量、磁気量、機器制御装置や設備機器の環境、等が正常な状態から異常な状態や事故の状態に変化した場合の諸事象を言う。
【００４５】
次に、前記電力供給側拠点２について、前記Ｉ／Ｏ２５１は、前記電気所１Ａの前記第ｎ-1記憶装置（図示せず）に格納されている寿命診断結果を、前記電気所１ＡのＩ／Ｏ１Ａ１２から入力する。前記第１記憶装置２５４１は、電力系統の拡張，変更の計画や電力設備の増設，変更、電力系統の監視、電力系統の保守，点検の計画等を行う各種プログラムを格納している。前記第ｎ記憶装置２５４ｎは、パリティチェック、自己診断、他、前記電力供給側拠点２に必要なその他プログラムを格納している。前記第ｎ+1記憶装置２５４ｎ+1は、前記電力系統の拡張，変更の計画や電力設備の増設，変更、電力系統の監視、電力系統の保守，点検の計画などを行う各種プログラム、及び前記パリティチェック、自己診断、他、前記電力供給側拠点２に必要な各種プログラムを、所定の記憶装置の所定領域（指定番地）に搭載するプログラム搭載プログラムを搭載している。前記表示装置２５２は、前記機器制御装置１Ａ１における第ｎ+2の寿命診断プログラムによる寿命診断結果、前記電力系統計画、前記電力系統監視情報、前記電力系統保守，点検計画、等を表示する。なお、図示してないが、前記表示装置２５２とは別に、ランプ、ブザ−、スピ−カ等の報知装置も設けられており、寿命診断結果が余寿命が比較的短く注意を要する場合は、事故や異常時とは異なる報知、例えばランプの場合は、事故や異常時は赤の点滅、余寿命が短いときは黄色の点滅など、を行なうようにしてある。
【００４６】
次に、前記製品供給側拠点３について、前記Ｉ／Ｏ３５１は、前記電気所１Ａの前記第ｎ-1記憶装置（図示せず）に格納されている寿命診断結果を、前記電気所１ＡのＩ／Ｏ１Ａ１２から入力する。前記第１記憶装置３５４１は、リレ−等の機器制御装置１Ａ１，・・・、しゃ断器や変圧器等の設備機器、或いはそれらの部品、等のＨ／Ｗ製品やＳ／Ｗ製品に関する試験プログラムを格納している。前記第２記憶装置３５４２は、前記リレ−等の機器制御装置１Ａ１，・・・、しゃ断器や変圧器等の設備機器、或いはそれらの部品、等のＨ／Ｗ製品やＳ／Ｗ製品に関する設計プログラムや設計支援プログラムを格納している。前記第ｎ記憶装置３５４ｎは、パリティチェック、自己診断、他、前記製品供給側拠点３に必要なその他プログラムを格納している。前記第ｎ+1記憶装置２５４ｎ+1は、前記試験プログラムや設計プログラム、設計支援プログラム等の各種プログラム、及び前記パリティチェック、自己診断、他、前記製品供給側拠点３に必要な各種プログラムを、所定の記憶装置の所定領域（指定番地）に搭載するプログラム搭載プログラムを搭載している。前記表示装置３５２は、前記機器制御装置１Ａ１における第ｎ+2の寿命診断プログラムによる寿命診断結果、前記製品試験の計画，工程，結果，評価、前記製品設計の計画，工程，結果，評価、等を表示する。なお、図示してないが、前記表示装置２５２とは別に、ランプ、ブザ−、スピ−カ等の報知装置も設けられており、寿命診断結果が余寿命が比較的短く注意を要する場合は、事故や異常時とは異なる報知、例えばランプの場合は、事故や異常時時は赤の点滅、余寿命が短いときは黄色の点滅など、を行なうようにしてある。
【００４７】
なお、前記電気所（変電所）１Ｂ，・・・１Ｎについては、それらのシステム構成、構成要素の機能が、前述の電気所（変電所）１Ａと同一又は同様であるので説明は割愛する。また同様に、前記電力供給側拠点２における前記電子端末２６，・・・２ｎについても、それらのシステム構成、構成要素の機能が、前述の電子端末２５と同一又は同様であるので説明は割愛する。同様に、前記製品供給側拠点３における前記電子端末３６，・・・前記電子端末３ｎについても、それらのシステム構成、構成要素の機能が、前述の電子端末２５と同一又は同様であるので説明は割愛する。
【００４８】
次に、実施の形態２における一動作形態を示すフロ−図（図３）について説明する。図３において、ＳＴ１はイベント発生を検出するステップ、ＳＴ２は前記リレ−盤等の機器制御装置１Ａ１における揮発性の前記第１記憶装置１Ａ１５１内の前記電力系統の状態情報のうち寿命診断に必要な状態情報を、不揮発性の前記第２記憶装置１Ａ１５２にダウンロ−ドするステップ、ＳＴ３は前記機器制御装置１Ａ１における前記第ｎ+2記憶装置１Ａ１５ｎ+2の寿命診断プログラムの実行開始のステップ、ＳＴ４は前記第２記憶装置１Ａ１５２内の、前記電力供給側電子端末２５に必要な状態情報につき診断し、その結果を、前記電力供給側電子端末２５に伝送するステップ、ＳＴ５は前記第２記憶装置１Ａ１５２内の、前記製品供給側電子端末３５に必要な状態情報につき診断し、その結果を、前記製品供給側電子端末３５に伝送するステップである。
【００４９】
次に実施形態２の動作を図２及び図３により説明する。例えば電力系統の電気所においてしゃ断器再閉路等のイベントが発生すると、前記機器制御装置１Ａ１（リレ−盤）におけるイベント発生検出手段１Ａ１６が「イベント発生」を検出（ステップＳＴ１）し、先ず、前記ＣＰＵ１Ａ１４が、前記リレ−盤等の機器制御装置１Ａ１における揮発性の前記第１記憶装置１Ａ１５１内の前記電力系統の状態情報のうち寿命診断に必要な状態情報を、不揮発性の前記第２記憶装置１Ａ１５２にダウンロ−ドする（ステップＳＴ２）。次いで、前記機器制御装置１Ａ１の前記ＣＰＵ１Ａ１４が前記第ｎ+2記憶装置１Ａ１５ｎ+2内の前記寿命診断プログラムを起動させ、この起動により、前記余寿命診断プログラムは実行を開始する（ステップＳＴ３）。
【００５０】
この寿命診断プログラムの実行開始により、前記第ｎ+2記憶装置１Ａ１５ｎ+2内の、前記電力供給側拠点２に必要な状態情報につき診断し、その結果の情報を、前記電力供給側電子端末２５に伝送（ステップＳＴ４）し、該電力供給側電子端末２では、前記診断結果情報を、前記記憶装置２５４の例えば第ｎ-1記憶装置（図示せず）に保存すると共に、前記電力供給側電子端末２内の前記表示装置２５２に表示する。
【００５１】
更に、前記第ｎ+2記憶装置１Ａ１５ｎ+2内の、前記製品供給側拠点３に必要な状態情報についても診断し、その結果の情報を、前記製品供給側電子端末３５に伝送（ステップＳＴ５）し、該製品供給側電子端末３では、前記診断結果情報を、前記記憶装置３５４の例えば第ｎ-1記憶装置（図示せず）に保存すると共に、前記電力供給側電子端末３内の前記表示装置３５２に表示する。
【００５２】
リレ−盤等の機器制御装置１Ａ１内の表示装置１Ａ１３には、前述の前記電力供給側電子端末２５２に必要な状態情報についての診断結果及び前記製品提供側電子端末３５２に必要な状態情報についての診断結果の双方を、同時に、及び選択的に表示できる。また、イベントが発生したことは、前記表示装置１Ａ１３，２５２，３５２の全てに表示或いは報知される。なお、前記表示装置１Ａ１３，２５２，３５２による表示や報知としては、ＣＲＴ、液晶表示装置、プラズマディスプレイ、電子メ−ル、携帯電話、等での画面や音声による表示や報知の他、プリンタ、コピ−機、ＦＡＸ機器、等での印刷による表示や報知、等々、必要に応じて各種表示（報知）を行なう。
【００５３】
実施の形態２においては、前述のようなシステム構成で前述のような動作をするので、電力系統において機器制御装置１Ａ１や設備機器（変圧器、しゃ断器、他）の内部或いは外部にイベントが発生した場合、変電所等の電気所１Ａのリレ−盤等の機器制御装置１Ａ１や設備機器までわざわざ出向かなくても、電力供給側電子端末２或いは製品製造側電子端末３において、イベントが発生したこと、及びイベント発生時の診断結果を、確認できる。
【００５４】
製品寿命は、イベントが発生しなければ殆ど短くならず、イベントの発生によって短くなる。例えば、リレ−接点やしゃ断器接点はその開閉によって接点寿命は短くなる。一方、製品の保証寿命年数は、接点の経験的平均開閉頻度等により推定して決めるが、電力系統の過密度、負荷の種類、環境、天候状態などの諸条件により接点の開閉頻度は区々である。つまりイベントの発生頻度は異なり、従って、実際の製品寿命年数は保証寿命年数とは異なる。また製品寿命のチェックつまり製品や当該製品の部品のリプレイスや補修の要否判断は、従前は人手による定期点検での点検時に行なっていたが、定期点検の時期を該諸条件に併せて細かに調整することは、定期点検には停電も伴うことからして柔軟な対応は難しい。このようなことからして、常時収集の前記系統状態情報によりイベント発生毎に自動的に寿命診断を行なえるようにすることは極めて有用である。
【００５５】
以上の説明は、前記電気所１Ａの機器制御装置１Ａ１、前記電力供給側拠点２の電子端末２５、及び前記製品供給側拠点３の電子端末３５、の３者を例にして個々の、及び相対的な、具体的システム構成、機能、及び動作について説明したが、前記電気所１Ａの他の機器制御装置１Ａ２、前記他の電気所１Ｂ・・・１Ｎの各機器制御装置１Ｂ１・・・１Ｎ１の、個々の、及び前記電力供給側拠点２の電子端末２５及び前記製品供給側拠点３の電子端末３５との３者の相対的な具体的システム構成、機能、及び動作は、前述の前記電気所１Ａの機器制御装置１Ａ１、前記電力供給側拠点２の電子端末２５、及び前記製品供給側拠点３の電子端末３５、の３者の個々の、及び相対的な、具体的システム構成、機能、及び動作と同一又は同様であるため、それらの説明は割愛する。
【００５６】
実施の形態３．
図４はイベント発生時の寿命診断の具体的な事例を、表示装置における画面表示の場合について示す図で、機器制御装置がリレ−装置の場合におけるディジタル処理回路の瞬発不良の回数から余寿命を診断するものである。図４において、５は表示画面で、前述の図２における前記電気所１Ａ側の表示装置１Ａ１３、前記電力供給側拠点２の表示装置２５２、及び前記製品供給側拠点３の表示装置３５２の表示画面である。
【００５７】
この図４の表示画面５には、図示のように「リレ−回路構成図」と「ディジタル処理回路の瞬発不良の回数」とが同一画面上に表示されるようにしてある。図４において、５１は表示されているものが「リレ−回路構成図」であることのタイトル表示、５２は表示されているものが「ディジタル処理回路の瞬発不良の回数」であることのタイトル表示である。
【００５８】
前記「リレ−回路構成図」５１においてＣＴは変流器、ＰＴは計器用変圧器、５１１はフィルタ、５１２はＳ／Ｈ（スレッシュホ−ルド回路）、５１３はＡ／Ｄ（アナログ・ディジタル変換回路）、５１４はディジタル処理回路、５１５はフォトカプラ等のリレ−出力、５１６は試験用高調波印加電圧または試験用直流印加電圧、５１７はゲインの表示である。前記「ディジタル処理回路の瞬発不良の回数」５２は横軸を新設或いはリプレイス時からの経過年、縦軸を瞬発不良の回数／月、とした棒グラフで、横軸の☆印t1・・・tnはイベント発生時点、つまり本例では瞬発不良発生時点、５２１は瞬発不良の発生頻度（回数／月）の保証レベル（回数／月）、つまり保証寿命である。５２２は警告発信レベル（回数／月）である。５２３は警告の表示領域で、図ではこの表示領域に「注：保証寿命比較的近い」の表示が出ている。５２４は余寿命で、前記ディジタル処理回路５１４の瞬発不良発生時点☆印t1・・・tnにおける該瞬発不良発生回数／月（レベル）と前記保証レベル（保証瞬発不良発生回数／月）との差である。５３は、前記「ディジタル処理回路の瞬発不良の回数」のグラフが、前記「リレ−回路構成図」におけるディジタル処理回路５１４の瞬発不良回数グラフであることを一目で判断できるように、前記「リレ−回路構成図」における回路構成要素（ディジタル処理回路５１４）と前記「ディジタル処理回路の瞬発不良の回数」のグラフとを関連付ける矢印である。
【００５９】
この図４において、前記ディジタル処理回路５１４の瞬発不良の頻度は、イベント発生時点☆印t1では少ないが、イベント発生時点☆印tnでは、前記警告発信レベル５２２を超えているので、警告表示領域５２３に「注：保証寿命比較的近い」が表示されている。この表示とは別に、前述のようなブザ−、ランプ、音声での通知、電子メ−ルでの報知も行なわれる。前記ディジタル処理回路５１４の瞬発不良の頻度（瞬発不良発生回数／月）は、前記保証レベル５２１と共にグラフ表示されるので、余寿命５２４が一目で分る。なお、前述の画面５は、寿命診断をすることにより表示される。
【００６０】
また、前記ディジタル処理回路５１４の瞬発不良が警告発信レベル５２２を超えた場合、前記フィルタ５１１、前記Ａ／Ｄ（アナログ・ディジタル変換回路）５１３の特性劣化も、ゲイン表示５１７でゲインの確認ができる。前記フィルタ５１１、前記Ａ／Ｄ（アナログ・ディジタル変換回路）５１３の特性劣化が所定レベルになった場合、ゲイン表示は例えば黄色ランプの点滅で行なわれる。このように、前記フィルタ５１１及び前記Ａ／Ｄ（アナログ・ディジタル変換回路）５１３の特性劣化もチェックすることにより、前記ディジタル処理回路５１４の瞬発不良が警告発信レベル５２２を超えた原因が、前記フィルタ５１１や前記Ａ／Ｄ（アナログ・ディジタル変換回路）５１３の特性劣化にあるのか、前記前記ディジタル処理回路５１４自体にあるのかも判別できる。
【００６１】
実施の形態４．
図５はイベント発生時の寿命診断の具体的な他の事例を、表示装置における画面表示の場合について示す図で、しゃ断器再閉路の回数からしゃ断器接点の人による目視での接点点検要である（寿命が近い）ことを診断するものである。図５において、５は表示画面で、前述の図２における前記電気所１Ａ側の表示装置１Ａ１３、前記電力供給側拠点２の表示装置２５２、及び前記製品供給側拠点３の表示装置３５２の表示画面である。
【００６２】
この図５の表示画面５には、図示のように「リレ−／しゃ断器概略接続回路図」と、「リレ−出力回数」のグラフ（Ａ）と、「しゃ断器再閉路回数」のグラフ（Ｂ）と、「しゃ断器再しゃ断回数」のグラフ（Ｃ）とが同一画面上に表示されるようにしてある。なお、図５のグラフ（Ａ）（Ｂ）（Ｃ）の縦軸は回数、横軸は製品新設或いは製品リプレイスからの経過年を示し、横軸の☆印t1，t2，t3，t4は、イベント発生時点、つまり本例ではしゃ断器の再閉路時点を示す。図５において、５１は表示されているものが「リレ−／しゃ断器概略接続回路図」であることのタイトル表示、５２は表示されているものが「リレ−出力回数」であることのタイトル表示、５３は表示されているものが「しゃ断器再閉路回数」であることのタイトル表示、５４は表示されているものが「しゃ断器再しゃ断回数」であることのタイトル表示である。５５は、しゃ断器再閉路の回数からしゃ断器接点の人による目視での接点点検要である（寿命が近い）ことを診断し「注：接点点検要」と表示してある診断結果表示領域である。
【００６３】
図５の、前記「リレ−／しゃ断器概略接続回路図」５１において、５１１はリレ−装置で、該リレ−装置の設置場所及びリレ−種別も表示する（図示省略）。５１２はフォトカプラ等のリレ−出力、５１３はしゃ断器で、該しゃ断器の設置場所及びしゃ断器種別も表示する（図示省略）。この「リレ−／しゃ断器概略接続回路図」５１を、前記「リレ−出力回数」５２、「しゃ断器再閉路回数」５３、「しゃ断器再しゃ断回数」５４の各グラフと同一画面上に隣接して表示するようにしてあるので、前記「リレ−出力回数」５２のグラフが前記「リレ−／しゃ断器概略接続回路図」５１におけるリレ−装置５１１の前記「リレ−出力回数」であり、また同様に、前記「しゃ断器再閉路回数」５３のグラフが、前記「リレ−／しゃ断器概略接続回路図」５１におけるしゃ断器５１１の前記「しゃ断器再閉路回数」であり、又、前記「しゃ断器再しゃ断回数」５４のグラフが、前記「リレ−／しゃ断器概略接続回路図」５１におけるしゃ断器５１１の前記「しゃ断器再しゃ断回数」であることが一目にして分る。
【００６４】
実施の形態５．
図６はイベント発生時の寿命診断の具体的な他の事例を、表示装置における画面表示の場合について示す図で、電力系統における零相電流の発生頻度を診断するものであり、縦軸は零相電流の発生及び零相電流の大きさを、横軸は製品新設或いは製品リプレイスからの経過年を夫々示し、横軸の☆印t1，t2，t3，t4は、イベント発生時点、つまり本例では零相電流の発生時点を示す。図６において、６１１，６１２，６１３は零相電流の発生及びその大きさを示す信号、６２は零相電流の発生回数及びその大きさから診断し「注：発生頻度大」と前記表示装置に表示してある診断結果表示領域である。この表示が出ることにより、診断或いは保守担当者に対し，しゃ断器接点の人による目視での接点点検要である（寿命が近い）ことや、母線や送電線への樹木等の障害物の存在の可能性等を注意喚起ししていることになる。なお、図６では、前述の図４及び５における画面表示５は図示を省略してある。
【００６５】
実施の形態６．
図７及び図８は実施の形態６を示す図で、図７はシステム構成の一例を、図８はその動作形態のフロ−図である。図７は、寿命診断プログラムの格納場所が前述の実施形態２（図２及び図３）と異なるシステム例を示すものである。即ち、前述の実施形態２（図２及び図３）においては寿命診断プログラムがリレ−盤等の機器制御装置１Ａ１における第ｎ+2記憶装置１Ａ１５ｎ+2に格納した事例であるのに対し、この実施の形態６では図７に図示のように、電力供給側拠点２における第ｎ+2記憶装置２５４ｎ+2にも格納した事例である。
【００６６】
次に、実施の形態６の動作を図７及び図８を用いて説明する。例えば過負荷等のイベントが発生する（ステップＳＴ１）と、先ず、前記リレ−盤等の機器制御装置１Ａ１における第１記憶装置１Ａ１５１内の電力系統状態情報のうち、寿命診断（余寿命診断）に必要な状態情報を、第２記憶装置１Ａ１５２にダウンロ−ド（ステップＳＴ２）する。次いで、前記第２記憶装置１Ａ１５２内の、前記電力供給側に必要な寿命診断（余寿命診断）に必要な状態情報を、電力供給側電子端末２５に伝送（ステップＳＴ３）し、前記電力供給側電子端末２５の前記第ｎ+2記憶装置２５４ｎ+2の寿命診断プログラムが実行開始（ステップＳＴ４）し、前記伝送された情報を、該前記第ｎ+2記憶装置２５４ｎ+2の寿命診断プログラムが診断し、その結果を、前記製品製造側拠点３の電子端末３５及び前記リレ−盤等の機器制御装置１Ａ１に伝送（ステップＳＴ５）する。前記電力供給拠点２、前記製品製造側拠点３、及び前記機器制御装置１Ａ１では、各々の表示装置２５２、３５２、及び１Ａ１３が前記診断結果を表示する。イベントが発生したことは、前記表示装置２５２、３５２、及び１Ａ１３の全てで表示或いは報知される。
【００６７】
この実施形態６においては、前述のように診断プログラムを前記電力供給拠点２における電子端末２５に格納してあるので、前記寿命診断プログラムの改変等は、わざわざ電気所の機器制御装置１Ａ１，１Ａ２，１Ｂ１，・・・１Ｎ１まで出向かなくても、前記電力供給拠点２における電子端末２５で行なえる。この場合、前記電気所の機器制御装置１Ａ１，１Ａ２，１Ｂ１，・・・１Ｎ１の寿命診断プログラムの改変等は、前記特別通信回線等を介して前記電力供給拠点２の電子端末２５で行なう。
【００６８】
なお、前記リレ−盤等の機器制御装置１Ａ１の寿命診断プログラムと前記電力供給拠点２の寿命診断プログラムとは発明の目的達成の観点では同じでもよいが、実運用の観点では同じでない方がよい。つまり、前記電力供給拠点２の寿命診断の範囲は、全機器制御装置１Ａ１，１Ａ２，１Ｂ１，・・・１Ｎ１及びこれら全機器制御装置１Ａ１，１Ａ２，１Ｂ１，・・・１Ｎ１に関係する設備機器（しゃ断器、変圧器、母線、送電線、発電機、電動機、他）であり広範囲である。一方、例えば機器制御装置１Ａ１の寿命診断の範囲は電気所１Ａの範囲内である。従って、機器制御装置１Ａ１の寿命診断が、例えばリレ−の種別以外にリレ−の構成要素或いは更に該構成要素の構成要素を対象とし各々の特性や動作回数やノイズの有無等、製品や部品のリプレイスや補修を前提にしているため緻密であるのに対し、前記電力供給拠点２の寿命診断は、例えば何処の電気所のどの機器制御装置のどの構成要素が寿命に近い（余寿命が短い）のか診断し表示する程度の方がよい。即ち前記電力供給拠点２は前述のように寿命診断範囲が広範囲であるため緻密過ぎれば、診断、診断結果の表示に操作の手間と時間を要し、しかも前記機器制御装置１Ａ１，１Ａ２，１Ｂ１，・・・１Ｎ１側から前記電力供給拠点２へ送信する電力系統状態情報の量が多いため、通信回線数や通信速度の関係で好ましくない。
【００６９】
実施の形態６においては、前述のようなシステム構成で前述のような動作をするので、電力系統においてイベントが発生した場合、変電所（電気所）のリレ−盤等機器制御装置１Ａ１，１Ａ２，１Ｂ１，・・・１Ｎ１までわざわざ出向かなくても、電力供給側電子端末２或いは製品製造側電子端末３において、イベントが発生したこと、及びイベント発生時の診断結果を確認できるのは勿論、機器制御装置１Ａ１，１Ａ２，１Ｂ１，・・・１Ｎ１に最適の寿命診断プログラムで機器制御装置１Ａ１，１Ａ２，１Ｂ１，・・・１Ｎ１内の診断を行え、電力供給側に最適の寿命診断プログラムで電力系統各部の診断を行える。
【００７０】
なお、この実施形態６の上述のシステム構成、機能、以外のシステム構成、機能については、前述の実施形態１〜５と同一又は同様であるので、説明は割愛する。
【００７１】
実施の形態７．
図９及び図１０は実施の形態７を示す図で、図９はシステム構成の一例を、図１０はその動作形態のフロ−図である。図９は、寿命診断プログラムの格納場所が前述の実施形態２（図２及び図３）及び実施形態６（図７及び図８）と異なるシステム例を示すものである。即ち、前述の実施形態２（図２及び図３）においては寿命診断プログラムがリレ−盤等の機器制御装置１Ａ１における第ｎ+2記憶装置１Ａ１５ｎ+2に格納した事例であり、前述の実施形態６（図７及び図８）においては寿命診断プログラムが前記電力供給側拠点２における第ｎ+2記憶装置２５４ｎ+2に格納した事例であるのに対し、この実施の形態７では図９に図示のように、製品供給側拠点３における第ｎ+2記憶装置３５４ｎ+2にも格納した事例である。
【００７２】
次に、実施の形態７の動作を図９及び図１０を用いて説明する。例えば過負荷等のイベントが発生する（ステップＳＴ１）と、先ず、前記リレ−盤等の機器制御装置１Ａ１における第１記憶装置１Ａ１５１内の電力系統状態情報のうち、前記電力供給側に必要な寿命診断（余寿命診断）に必要な状態情報を、前記機器制御装置１Ａ１の第２記憶装置１Ａ１５２にダウンロ−ド（ステップＳＴ２１）し、イベント内容を、前記機器制御装置１Ａ１から前記電力供給側電子端末２５に通知する（ステップＳＴ３１）。次いで、電力供給側に必要な、イベント内容対応の状態情報の送信を、前記電力供給側電子端末２５から前記機器制御装置１Ａ１側に要求（ステップＳＴ４１）し、前記機器制御装置１Ａ１は、第２記憶装置１Ａ１５２内の、前記電力供給側の寿命診断に必要な状態情報を、前記電力供給側電子端末２５へ伝送する（ステップＳＴ５１）。この伝送を受けて前記電力供給側電子端末２５の第ｎ+2記憶装置２５４ｎ+2の寿命診断プログラムが実行を開始する（ステップＳＴ６１）。次いで、前記電力供給側電子端末２５の第ｎ+2記憶装置２５４ｎ+2の寿命診断プログラムが前記伝送された前記電力供給側の寿命診断に必要な状態情報を診断し、その結果を、前記製品供給側電子端末３５、及び前記機器制御装置１Ａ１へ伝送する（ステップＳＴ７１）。
【００７３】
更に、前記イベントが発生する（ステップＳＴ１）と、前記機器制御装置１Ａ１における第１記憶装置１Ａ１５１内の電力系統状態情報のうち、前記製品供給側に必要な寿命診断（余寿命診断）に必要な状態情報を、前記機器制御装置１Ａ１の第２記憶装置１Ａ１５２にダウンロ−ド（ステップＳＴ２２）し、イベント内容を、前記機器制御装置１Ａ１から前記製品供給側電子端末３５に通知する（ステップＳＴ３２）。次いで、製品供給側に必要な、イベント内容対応の状態情報の送信を、前記製品供給側電子端末３５から前記機器制御装置１Ａ１側に要求（ステップＳＴ４２）し、前記機器制御装置１Ａ１は、第２記憶装置１Ａ１５２内の、前記製品供給側の寿命診断に必要な状態情報を、前記製品供給側電子端末３５へ伝送する（ステップＳＴ５２）。この伝送を受けて前記製品供給側電子端末３５の第ｎ+2記憶装置３５４ｎ+2の寿命診断プログラムが実行を開始する（ステップＳＴ６２）。次いで、前記製品供給側電子端末３５の第ｎ+2記憶装置３５４ｎ+2の寿命診断プログラムが前記伝送された前記製品供給側の寿命診断に必要な状態情報を診断し、その結果を、前記電力供給側電子端末２５、及び前記機器制御装置１Ａ１へ伝送する（ステップＳＴ７２）。前記電力供給拠点２、前記製品製造側拠点３、及び前記機器制御装置１Ａ１では、各々の表示装置２５２、３５２、及び１Ａ１３が前記診断（ステップＳＴ７１及びステップＳＴ７２）の結果を表示する。イベントが発生したことは、前記表示装置２５２、３５２、及び１Ａ１３の全てで表示或いは報知される。
【００７４】
この実施形態７においては、前述のように診断プログラムを前記電力供給拠点２の電子端末２５及び前記製品供給拠点３の電子端末３５に格納してあるので、前記寿命診断プログラムの改変等は、わざわざ電気所の機器制御装置１Ａ１，１Ａ２，１Ｂ１，・・・１Ｎ１まで出向かなくても、前記電力供給拠点２における電子端末２５で行なえ、且つ、前記製品供給拠点３の電子端末３５でも行なえ、しかも、前記機器制御装置１Ａ１，１Ａ２，１Ｂ１，・・・１Ｎ１側に最適の診断プログラムで該機器制御装置内及び該機器制御装置の管轄範囲内の診断を効果的に行え、電力供給側拠点２に最適の診断プログラムで電力供給側拠点２での効果的な診断を行え、製品製造側拠点３に最適の診断プログラムで製品製造側拠点３での効果的な診断を行える。なお、前記電気所の機器制御装置１Ａ１，１Ａ２，１Ｂ１，・・・１Ｎ１の寿命診断プログラムの改変等は、前記特別通信回線等を介して、前記電力供給拠点２の電子端末２５で行ない、また前記製品供給拠点３の電子端末３５でも行なう。
【００７５】
なお、前記製品供給拠点３の寿命診断プログラムは、前記機器制御装置１Ａ１の寿命診断プログラム及び前記電力供給拠点２の各寿命診断プログラムとは、発明の目的達成の観点では同じでもよいが、実運用の観点では同じでない方がよい。つまり、前記電力供給拠点２の寿命診断の範囲及び前記機器制御装置１Ａ１の寿命診断の範囲は、実施形態６で説明したように前記電力供給拠点２の寿命診断範囲は電力系統全体に亘り広範囲であり、前記機器制御装置１Ａ１の寿命診断の範囲は管轄電気所内の限られた範囲内で緻密である必要があるが、製品提供拠点３側では、前記イベント時寿命診断の結果、リプレイス用の製品や部品の準備の検討、寿命診断が行なわれてない他の近隣電気所等に対するリプレイス用の製品や部品の準備の必要性の検討、特殊なイベントに対して強い製品や部品の開発や手配の必要性の検討等が必要であるため、前記前記機器制御装置１Ａ１の寿命診断プログラム及び前記電力供給拠点２の各寿命診断プログラムの両者の機能を備え、しかも、前記製品提供拠点のみが有する製品設計プログラムや製品設計デ−タ、試験プログラムや試験デ−タ、等の他のプログラムやデ−タとも関連付けたプログラムとする方が好ましい。
【００７６】
実施の形態８．
図１１は実施の形態８のシステム構成の一例を示す図で、前記電力供給側拠点２に診断サ−バを設置し、この診断サ−バに前述の実施形態１〜実施形態６の機能を待たせるようにした寿命診断システムの一例である。図１１において、２３は前記電力供給側拠点２及び製品供給側拠点３の何れか或いは双方にに設置される診断サ−バで、Ｉ／Ｏ２３１、表示装置２３２、ＣＰＵ２３３、及び記憶装置２３４で構成されている。前記記憶装置２３４は、３種類のエ−ジェントプログラム、即ち、寿命診断プログラム（１）２３４１、寿命診断プログラム（２）２３４２、寿命診断プログラム（３）２３４３を有している。
【００７７】
前記寿命診断プログラム（１）２３４１は、前記実施形態７（図９）における機器制御装置１Ａ１に搭載の寿命診断プログラムと同じ寿命診断機能を有し、イベントが発生すると、該イベント発生の電気所を管轄する機器制御装置（例えば１Ａ１）へ移動して、該移動した個所で寿命診断し、診断結果を携えて前記診断サ−バ２３に戻る。前記寿命診断プログラム（２）２３４２は、前記実施形態７（図９）における電力供給側拠点２に搭載の寿命診断プログラムと同じ寿命診断機能を有し、イベントが発生すると、該イベント発生の電気所を管轄する機器制御装置（例えば１Ａ１）へ移動して、該移動した個所で寿命診断し、診断結果を携えて前記診断サ−バ２３に戻る。前記寿命診断プログラム（３）２３４３は、前記実施形態７（図９）における製品供給側拠点３に搭載の寿命診断プログラムと同じ寿命診断機能を有し、イベントが発生すると、該イベント発生の電気所を管轄する機器制御装置（例えば１Ａ１）へ移動して、該移動した個所で寿命診断し、診断結果を携えて前記診断サ−バ２３に戻る。
【００７８】
前記寿命診断プログラム（１）２３４１、寿命診断プログラム（２）２３４２、寿命診断プログラム（３）２３４３、の何れもその持ち帰った診断結果は、前記記憶装置２３４に格納され、前記表示装置２３２に、前記実施形態３〜５（図４〜図５）と同様な表示が行なわれる。また、前記記憶装置２３４に格納された診断結果は、前記機器制御装置１Ａ１〜１Ｎ１、前記電力供給拠点２、前記製品供給拠点３の何れからも通信網４を介して読み出し、それらの表示装置１Ａ１・・・，２５２，３５２に、前記実施形態３〜５（図４〜図５）と同様な表示を行なえる。
【００７９】
なお、イベントが複数箇所で発生した場合、例えば図１における電気所１Ａ及び電気所１Ｎで発生した場合、これら複数箇所でのイベント発生がほぼ同時期であれば、前記エ−ジェントプログラム（寿命診断プログラム（１）（２）（３））は該複数箇所へ並行して発信され、前記複数箇所でのイベント発生がほぼ同時期でなければ、前記エ−ジェントプログラムは、イベント発生が早い個所からイベント発生が遅い個所へと順に移動して、夫々の個所で寿命診断し、夫々の個所での寿命診断結果を携えて診断サ−バ２３に戻ってくる。例えば、寿命診断に係わる各電子端末（診断サ−バを含む）、各機器制御装置及びその構成要素、設備機器及びその構成要素、の各々に異なるアドレスを付けておけば、該アドレスを利用して前記エ−ジェントプログラムがイベント発生個所へ移動し診断サ−バに戻ってくるようにすることが出来る。
【００８０】
この実施形態８では、エ−ジェントプログラム（寿命診断プログラム（１）（２）（３））が、イベント発生により、イベント発生個所へ移動して診断するので、各機器制御装置１Ａ１〜１Ｎ１に対する何本もの寿命診断プログラムの搭載やメインテナンスが不要となり、又、何本もの寿命診断プログラムの搭載やメインテナンスによる搭載やメインテナンス時期遅れによる不都合も発生しない。
【００８１】
なお、前記形態８において、前記エ−ジェントプログラムに、イベント発生時にイベント発生個所で系統状態情報を収集する機能のみを持たせ，寿命診断は、前記電力供給側拠点２及び製品供給側拠点３の少なくとも一の寿命診断プログラムで行なうようにしてもよい。
【００８２】
【発明の効果】
請求項１に記載の電力系統の寿命診断方法の発明は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記機器制御装置がイベント発生検出手段を有し、前記機器制御装置の記憶装置に前記設備機器及び前記機器制御装置の少なくとも一のイベント発生時の寿命診断を行う寿命診断プログラムが格納されており、前記設備機器及び前記機器制御装置の少なくとも一のイベント発生時の寿命診断が、少なくとも次の１〜４の手順で行われるようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果がある。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【００８３】
請求項１１に記載の電力系統の寿命診断システムの発明は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記機器制御装置がイベント発生検出手段を有し、前記機器制御装置の記憶装置に前記設備機器及び前記機器制御装置の少なくとも一のイベント発生時の寿命診断を行う寿命診断プログラムが格納されており、前記設備機器及び前記機器制御装置の少なくとも一のイベント発生時の寿命診断が、少なくとも次の１〜４の手順で行われるので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる寿命診断方法を実施するシステムを実現できる効果がある。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【００８４】
請求項２に記載の電力系統の寿命診断方法の発明は、電力系統を構成する設備機器が設置された各電気所に設置され前記設備機器と共に前記電力系統を構成し前記設備機器を制御する機器制御装置、及びこれら機器制御装置の外部に設けられ前記各機器制御装置の内部情報から前記電力系統の状態を通信網を介して監視する監視装置を備えた電力系統において、前記各機器制御装置がイベント発生検出手段を有し、前記各機器制御装置の記憶装置に前記各設備機器及び前記各機器制御装置の少なくとも一のイベント発生時の寿命診断を行う寿命診断プログラムが格納されており、前記各設備機器及び前記各機器制御装置の少なくとも一のイベント発生時の各寿命診断プログラムの寿命診断が、少なくとも次の１〜４の手順で行われるようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、複数の電気所に亘って広範囲にイベント発生時の寿命診断を行なえる効果がある。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【００８５】
請求項１２に記載の電力系統の寿命診断システムの発明は、電力系統を構成する設備機器が設置された各電気所に設置され前記設備機器と共に前記電力系統を構成し前記設備機器を制御する機器制御装置、及びこれら機器制御装置の外部に設けられ前記各機器制御装置の内部情報から前記電力系統の状態を通信網を介して監視する監視装置を備えた電力系統において、前記各機器制御装置がイベント発生検出手段を有し、前記各機器制御装置の記憶装置に前記各設備機器及び前記各機器制御装置の少なくとも一のイベント発生時の寿命診断を行う寿命診断プログラムが格納されており、前記各設備機器及び前記各機器制御装置の少なくとも一のイベント発生時の各寿命診断プログラムの寿命診断が、少なくとも次の１〜４の手順で行われるので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、複数の電気所に亘って広範囲にイベント発生時の寿命診断を行なえる寿命診断方法を実施するシステムを実現できる効果がある。
１．前記イベント発生検出手段によりイベント発生が検出されると各種状態情報のうち前記寿命診断に必要な状態情報が前記機器制御装置の不揮発性記憶装置にダウンロードされる。
２．前記イベント発生検出手段によりイベント発生が検出されると前記寿命診断プログラムが起動し、前記機器制御装置の不揮発性記憶装置にダウンロードされた前記寿命診断に必要な状態情報から、前記設備機器及び前記機器制御装置の少なくとも一のイベント発生時の寿命診断を行う。
３．前記寿命診断プログラムによる前記設備機器及び前記機器制御装置の少なくとも一のイベント発生時の寿命診断の結果を、前記機器制御装置から、電力供給側拠点及び製品供給側拠点の少なくとも一方が得る。
４．この得た診断結果を、前記電力供給側拠点及び前記製品供給側拠点の少なくとも一方の表示装置で表示する。
【００８６】
請求項３に記載の電力系統の寿命診断方法の発明は、請求項１及び請求項２の何れかに記載の電力系統の寿命診断方法において、前記表示装置が、前記電力供給側拠点及び前記製品供給側拠点の少なくとも一方における電子端末の表示装置であるので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、イベント発生時の診断結果を、電力供給側拠点及び製品供給側拠点の少なくとも一方において居ながらにして確認できる効果がある。
【００８７】
請求項４に記載の電力系統の寿命診断方法の発明は、請求項１及び請求項２の何れかに記載の電力系統の寿命診断方法において、前記診断プログラムが、前記電力供給側拠点、及び前記製品供給側拠点の少なくとも一にも格納され、当該診断プログラムが格納された拠点が得た寿命診断に必要な状態情報から当該拠点の診断プログラムが寿命診断を行うので、電力系統においてイベントが発生した場合、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、寿命診断プログラムの搭載や改変を容易に行なうことが出来る効果がある。
【００８８】
請求項５に記載の電力系統の寿命診断方法の発明は、請求項１〜請求項４の何れか一に記載の電力系統の寿命診断方法において、前記寿命診断結果が余寿命が比較的短く注意を要する場合は、事故や異常時とは異なる報知を行うようにしたので、前記設備機器や前記機器制御装置等の製品やその部品の寿命に最も影響するイベント発生時点で製品やその部品の余寿命等の寿命診断を行なうことができ、しかもイベント発生時点での寿命結果を、寿命診断プログラムが機器制御装置に有るにもかかわらず、診断結果を、前記電力供給側拠点及び前記製品供給側拠点の少なくとも一方で事故や異常時と区別して確認することが出来る効果がある。
【００８９】
請求項１３に記載の電力系統の寿命診断システムの発明は、請求項１１または請求項１２の何れかに記載の電力系統の寿命診断システムにおいて、前記寿命診断結果が余寿命が比較的短く注意を要する場合は、事故や異常時とは異なる報知を行うようにしたので、前記設備機器や前記機器制御装置等の製品やその部品の寿命に最も影響するイベント発生時点で製品やその部品の余寿命等の寿命診断を行なうことができ、しかもイベント発生時点での寿命結果を、寿命診断プログラムが機器制御装置に有るにもかかわらず、診断結果を、前記電力供給側拠点及び前記製品供給側拠点の少なくとも一方で事故や異常時と区別して確認することが出来る寿命診断方法を実施するシステムを実現できる効果がある。
【００９０】
請求項６に記載の電力系統の寿命診断方法の発明は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われるようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、寿命診断プログラムの搭載や改変を電力供給側拠点で行なうことができる効果がある。
１．前記機器制御装置が有する各種状態情報のうち、寿命診断に必要な状態情報を電力供給側拠点が得る。
２．この得た状態情報により前記電力供給側拠点における寿命診断プログラムが診断する。
３．この診断結果を、前記機器制御装置、前記電力供給側拠点、及び製品供給側拠点の少なくとも一における表示装置で表示する。
【００９１】
請求項１４に記載の電力系統の寿命診断システムの発明は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われるようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、寿命診断プログラムの搭載や改変を電力供給側拠点で行なうことができる寿命診断方法を実施するシステムを実現できる効果がある。
１．前記機器制御装置が有する各種状態情報のうち、寿命診断に必要な状態情報を前記電力供給側拠点が得る。
２．この得た状態情報により前記電力供給側拠点における寿命診断プログラムが診断する。
３．この診断結果を、前記機器制御装置、前記電力供給側拠点、及び前記製品供給側拠点の少なくとも一における表示装置で表示する。
【００９２】
請求項７に記載の電力系統の寿命診断方法の発明は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われるようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、寿命診断プログラムの搭載や改変を製品供給側拠点で行なうことができる効果がある。
１．前記機器制御装置が有する各種状態情報のうち、寿命診断に必要な状態情報を製品供給側拠点が得る。
２．この得た状態情報により前記製品供給側拠点における寿命診断プログラムが診断する。
３．この診断結果を、前記機器制御装置、電力供給側拠点、及び前記製品供給側拠点の少なくとも一における表示装置で表示する。
【００９３】
請求項１５に記載の電力系統の寿命診断システムの発明は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われるようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、寿命診断プログラムの搭載や改変を製品供給側拠点で行なうことができる寿命診断方法を実施するシステムを実現できる効果がある。
１．前記機器制御装置が有する各種状態情報のうち、寿命診断に必要な状態情報を前記製品供給側拠点が得る。
２．この得た状態情報により前記製品供給側拠点における寿命診断プログラムが診断する。
３．この診断結果を、前記機器制御装置、前記電力供給側拠点、及び前記製品供給側拠点の少なくとも一における表示装置で表示する。
【００９４】
請求項８に記載の電力系統の寿命診断方法の発明は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電力系統でのイベント発生により起動される診断プログラムにより前記設備機器及び前記機器制御装置の少なくとも一のイベント発生時の寿命診断を行い、この寿命診断結果を前記設備機器及び前記機器制御装置の外部における表示装置に表示する電力系統の寿命診断方法であって、少なくとも次の１〜３の手順で前記寿命診断が行われるようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、寿命診断プログラムの搭載や改変を電力供給側拠点及び製品供給側拠点の何れでも行なうことができる効果がある。
１．前記機器制御装置が有する各種状態情報のうち、寿命診断に必要な状態情報を電力供給側拠点及び製品供給側拠点が得る。
２．この得た状態情報により前記電力供給側拠点及び前記製品供給側拠点における各寿命診断プログラムが診断する。
３．これら診断の結果を、前記機器制御装置、前記電力供給側拠点、及び前記製品供給側拠点の少なくとも一における表示装置で表示する。
【００９５】
請求項１６に記載の電力系統の寿命診断システムの発明は、電力系統を構成する設備機器が設置された電気所に設置され前記設備機器と共に前記電力系統を構成し前記設備機器を制御する機器制御装置、及びこの機器制御装置の外部に設けられ前記機器制御装置の内部情報から前記電力系統の状態を通信網を介して監視する監視装置を備えた電力系統において、前記電気所、電力供給側拠点、及び製品供給側拠点の少なくとも一における記憶装置、この記憶装置に格納され前記設備機器及び前記機器制御装置の少なくとも一でのイベント発生時に起動され前記設備機器及び前記機器制御装置の少なくとも一での前記イベント発生時の寿命診断を行う診断プログラム、及び前記電力供給側拠点及び前記製品供給側拠点の少なくとも一に設けられ前記診断プログラムによる寿命診断結果を表示する表示装置を備えている電力系統の寿命診断システムであって、少なくとも次の１〜３の手順で前記寿命診断が行われるようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、寿命診断プログラムの搭載や改変を電力供給側拠点及び製品供給側拠点の何れでも行なうことができる寿命診断方法を実施するシステムを実現できる効果がある。
１．前記機器制御装置が有する各種状態情報のうち、寿命診断に必要な状態情報を前記電力供給側拠点及び前記製品供給側拠点が得る。
２．この得た状態情報により前記電力供給側拠点及び前記製品供給側拠点における各寿命診断プログラムが診断する。
３．これら診断の結果を、前記機器制御装置、前記電力供給側拠点、及び前記製品供給側拠点の少なくとも一における表示装置で表示する。
【００９６】
請求項９に記載の電力系統の寿命診断方法の発明は、請求項１〜請求項９の何れか一に記載の電力系統の寿命診断方法において、前記寿命診断結果のトレンドを前記表示装置に表示するようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、製品やその部品の余寿命等の寿命の傾向を、イベント発生時点で、目視により正確に把握することが出来る効果が有る。
【００９７】
請求項１７に記載の電力系統の寿命診断システムの発明は、請求項１１〜請求項１６の何れか一に記載の電力系統の寿命診断システムにおいて、前記寿命診断結果のトレンドを前記表示装置に表示するようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、製品やその部品の余寿命等の寿命の傾向を、イベント発生時点で、目視により正確に把握することが出来る寿命診断方法を実施するシステムを実現できる効果がある。
【００９８】
請求項１０に記載の電力系統の寿命診断方法の発明は、請求項１〜請求項９の何れか一に記載の電力系統の寿命診断方法において、前記寿命診断結果が少なくとも要注意レベルの場合は、その旨を、前記機器制御装置、前記電力供給側拠点、及び前記製品供給側拠点の少なくとも一へ報知するようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、表示装置の画面を目視してなくても、寿命診断結果が少なくとも要注意レベルであることを知ることができる効果が有る。
【００９９】
請求項１８に記載の電力系統の寿命診断システムの発明は、請求項１１〜請求項１７の何れか一に記載の電力系統の寿命診断システムにおいて、前記寿命診断結果が少なくとも要注意レベルの場合は、その旨を、前記機器制御装置、前記電力供給側拠点、及び前記製品供給側拠点の少なくとも一へ報知するようにしたので、前記設備機器や前記機器制御装置等の製品やその部品の寿命に最も影響するイベント発生時点で製品やその部品の余寿命等の寿命診断を行なうことができ、しかもイベント発生時点での寿命診断結果は、電気所の機器制御装置までわざわざ出向かなくても、該機器制御装置の外部に設けた表示装置により確認できる効果に併せ、表示装置の画面を目視してなくても、寿命診断結果が少なくとも要注意レベルであることを知ることができる寿命診断方法を実施するシステムを実現できる効果がある。
【図面の簡単な説明】
【図１】  この発明の実施の形態１を示すシステム構成図。
【図２】  この発明の実施の形態２を示すシステム構成図。
【図３】  この発明の実施の形態２の動作を示すフロ−図。
【図４】  この発明の実施の形態３を示す画面表示例を示す図。
【図５】  この発明の実施の形態４を示す画面表示例を示す図。
【図６】  この発明の実施の形態５を示す画面表示例を示す図。
【図７】  この発明の実施の形態６を示すシステム構成図。
【図８】  この発明の実施の形態６の動作を示すフロ−図。
【図９】  この発明の実施の形態７を示すシステム構成図。
【図１０】  この発明の実施の形態７の動作を示すフロ−図。
【図１１】  この発明の実施の形態８を示すシステム構成図。
【図１２】  従来システムのシステム構成図。
【符号の説明】
１Ａ，１Ｂ，・・・１Ｎ  電気所、
１Ａ１，１Ａ２，１Ｂ１，・・・１Ｎ１  機器制御装置、
１Ａ１３  機器制御装置１Ａ１の表示装置、
１Ａ１５  機器制御装置１Ａ１の記憶装置、
１Ａ１５１  機器制御装置１Ａ１の第１記憶装置、
１Ａ１５２  機器制御装置１Ａ１の第２記憶装置、
１Ａ１５ｎ+2  機器制御装置１Ａ１の寿命診断プログラムを格納した第ｎ+2記憶装置、
１Ａ１６  イベント発生検出手段、
２  電力供給側拠点、
２５，２６，・・・２ｎ  電力供給側拠点２の電子端末、
２５２  電力供給側拠点２の電子端末２５の表示装置、
２５４  電力供給側拠点２の電子端末２５の記憶装置、
２５４ｎ+2  電力供給側拠点２の電子端末２５の寿命診断プログラムを格納した第ｎ+2記憶装置、
３  製品供給側拠点、
３５，３６，・・・３ｎ  製品供給側拠点３の電子端末、
３５２  製品供給側拠点３電子端末３５の表示装置、
３５４  製品供給側拠点３の電子端末３５の記憶装置、
３５４ｎ+2  製品供給側拠点３の電子端末３５の寿命診断プログラムを格納した第ｎ+2記憶装置、
２３  診断サ−バ、
２３２  診断サ−バ２３の表示装置、
２３４  診断サ−バ２３の寿命診断プログラムを格納した記憶装置。
【図１】
0003890940.tif 000002
【図２】
0003890940.tif 000003
【図３】
0003890940.tif 000004
【図４】
0003890940.tif 000005
【図５】
0003890940.tif 000006
【図６】
0003890940.tif 000007
【図７】
0003890940.tif 000008
【図８】
0003890940.tif 000009
【図９】
0003890940.tif 000010
【図１０】
0003890940.tif 000011
【図１１】
0003890940.tif 000012
【図１２】
0003890940.tif 000013